【手続補正書】
【提出日】平成19年3月20日(2007.3.20)
【手続補正１】
【補正対象書類名】明細書
【補正対象項目名】全文
【補正方法】変更
【補正の内容】
【発明の詳細な説明】
【発明の名称】コイル式レールブレーキ装置
【技術分野】
【０００１】本発明の〔図１〕は材料である硬い方のステンレスの丸棒を使用それをコイル状に巻いて作つて行きますこの作業に当り手動式の道具を旋盤やアーク溶接機又ボール盤などで道具を作ってから硬いステンの丸棒をガスバーナで赤目ながら折れないように慎重に巻いて行きますこの作業は従来のバイクや自動車などのコイルスプリングとはかなりことなり熱のかけ方によってはすぐ折れるので熟練の人しか出来ない作業でありますこのステンの丸棒を丸く巻いて作るのが大変な技術分野で「変更」従来のバネとはかなりちがう物です「追加」又それを示す〔図１平面図と図２半横面図「変更」と図３側面図〕符号１８はコイル式レールブレーキ装置「削除」「変更」〔図２〕には符号１７に繋ぐピンビスを取り付けたコイル式レールブレーキ図を生かす重用な部分の拡大図で「変更」〔図３〕側面図にはワイヤー用のプリー台は引き合う方行に向きを決めるのです又図２は両方面から引き合う
2007151563.tif 000001
になる又それらを動ごかすための電力も油などを使用しないでベツト及びその他の人間生活にやくに立つ物と思い本発明「変更」の装置の特徴であります。
【背景技術】
【０００２】本発明の私しが考えたのは「変更」約１４年前からになります又ステン材料はブリキのおもちやなどの東京町工場の時代にはなかつた材料の特徴でありそれが現在ではわりと買えるようになりそこで「追加」沖縄に根付くか新しい物作をし商品化をこの「変更」沖縄県から根付かせるためにコイル式レールブレーキ装置を作り組立のため部品を作ることにきめ行動してこれを初めたのが手動式一般用と介護用扇形リクライニングベツトを作り「変更」考え〔図１から３〕までの装置図を応用してそのことも出願した者であります。
【発明の開示】
【０００３】特開平成７年で７−２７５０８３
特開平成１０年で１０−５７１９３
特許権者特等３１４４４９０
特開２００３−１１８３０４
特開２００１−３４７８０２
【発明が解決しようとする課題】
【０００４】本発明はコイル式レールブレーキ装置を使用したベツトであり「追加」下の台の両左右に取り付て〔図４〕斜視図の「変更」〔符号１９〕の位置に組立るとそれは従来の電力式ベツトとはちがう特徴になる物であり患者さんを初め健康な方でもひじかけたレバーやハンドルを回せば腰元に力を入れられない方でもらくに腰を上げられるよう折れ曲つてくる工夫をした装置でありますこれを解決しようとする課題である「追加」と同じに足置床をリフトにできる兼用することも合わせて計画したのが本発明の大きな目的であり「追加」これらコイル式レールをお風呂に患者さんをつり上げながら入れる道具にも出来るためこれらにも役立てる目標でもあります。
【課題を解決するための手段】
【０００５】本発明の「追加」装置には電力や油など使用していないため水場であるお風呂場などでも永久的にサビないステン丸棒「変更」材をシヤーシ及びシヤフトを使用していますから感電や油もれがないこれを課題を解決するための手段である大きな目的であるこのコイル式レールブレーキ装置の内径側にレール用プリー車輪を２ツ組み込んだ工夫〔図２〕の「変更」符号１８の丸るいレールの中に入れ「追加」るとこの工夫がどこでもブレーキで止まる仕組みになる組立ることにより力が両方行に引き合う形でこのような動ごきを電力をつかわないで丸い内径からのブレーキが「追加」コイル式レールを符号１９の丸ハンドルを回す又止めた位置角度をすきな所ろを自由に出来ることがメリツトがこの本発明の目的はこの特徴を考え作つた者であります
本発明「〔図１〕」平面図コイル式レールブレーキ装置の符号１はコイル式レール回転ブレ止め長ボルトはコイル全体に力が入いりその時のレール内側の凹コロをささえる為の部品ですこの作り方は鉄丸材の六角頭にする部分をガスバーナで赤目すぐに型で尻棒をハンマー及びその機械に入れて圧力をかけると六角頭が出来てその後旋盤でネジを立て置きその後組み立てにそなえます。
【０００６】「〔図１〕」符号１０コイル式レールブレーキ装置の基盤であります図面左側２枚と右に１枚共に２０センチ四角形であります厚さ４ミリから６ミリに「追加」しその中央部分にはパイプ軸が入いる丸穴をゆる目に明けてその左側の金属板にはパイプ溝を入れた凸コロを組み入れる金属の箱を作りその箱の対角線上にこの溝コロを作り取り付るのですが３つのコロは位置を決めて固定しますあとの１つは溝から離したり締めつけたり出来るようにボルト穴を楕円形に明けて組み立る時にボルトを締めて下さい尚箱の作り方は大きさに合せて金型を作つて四面共曲げる為プレス機械をつかうとよいです「追加」基盤の左右両方にワイヤーロープ用の穴とそのプリー金具部品も引つぱられる向に合せてボルトナツトなどで取り付けて下さいよろしく。
【０００７】「〔図１〕」符号１２コイル式レール内側の基盤で重用な凹コロを固定するボルト及び太ボルト盤台「追加」から抜けないようにしながら自在に回わることとワイヤーロープを綱ぐ部品でありますこの作り方は鋼材を幅３センチ厚さ１０ミリの中央に太さ１３ミリの穴を明けその穴下部分に旋盤でさらに「変更」太さ１５ミリ深さ２．５ミリに削りこれは太ボルトの自在部分に当りますさらにコイル式内側のコロ軸を支える軸盤を固定するボルトを取り付け締めつける穴４ヶ所とこの基盤上からワイヤー符号１７を結ぶ鋼材の丸棒３ミリの穴を明けてその棒を出し入れ出来るようにして置きコロをコイル式レールの内側に組み込んだ後軸盤の小さい軸止めネジで締める符号１３の太ボルト及び符号１４などを固定する物です。「削除」
【０００８】「〔図１〕」平面図「変更」「〔図３〕」側面図符号１８は本発明の「削除」コイル式レールブレーキ装置のコイルの作り方は硬い方のステンレスの鋼材丸棒１０ミリ長さ４メートルを使用して「追加」実施して作くつたその作業に当り手動式の道具を旋盤やアーク溶接機又ボール盤などで道具を作つてから硬いステンの丸棒をガスバーナーで赤目ながら折れないよう慎重に丸めて行きますこの作業は従来のバイクや自動車などのコイルスプリングとはかなりことなり熱のかけ方によつてはすぐに折れるので熟練の人しか出来ない作業でありますこのステンの丸棒を丸く巻いて作るのが大変な技術分野で「追加」ありますこれらを使用したリクライン・などの介護用及び一般用ベツト「〔図４〕」斜視図符号１９の位置に取り付けた丸ハンドル及びノブによる操作の構造をしめす「図７」平面配位置図にて「図８」足置骨「変更」平面図の図面でありこれらに「変更」よつて電気力も油などを使用しないで動ごきが出来る目的にした物であります「削除」
【０００９】「〔図４〕」「変更」斜視図及び「〔図７〕」本体平面配位置図「〔図８及び図９〕」を操作は「〔図１０〕」「符号２７」装置にて動ごく符号１９丸ハンドルを取り付けるボツクス中側の構造の作り方はベツト肘かけ丸ハンドル軸にＶ形ベルト用プリーを軸に取り付けて肘かけ下位置にＶベルトが中で折れ曲がつて「〔図４〕」「符号１９」の金具台予備プリーを取り付けますＶベルトのたるみを無すための工夫をしますこのＶベルトはコイル式レールからの箱底下のＶベルトプリーとを繋ぐ物でベツトをリクライニングにする物であります「追加」金具部品足置床リフトも共に動くようにしたのが大きな特徴なのであり目的であります。
【００１０】「〔図４〕」符号２０足置床リフト延板でありこれをリフトとして利用する時には両脇の延べ板部分をはずして利用して下さいそれ以外は取り付けたままで使用するようにしますここの延脇板の作り方は「追加」「〔図８〕」足置骨平面図の符号２９及び３０の点線部分の図面をささえる「変更」足置床リフトでこれらをささえる「追加」金具部品シヤーシ構造にするための鋼材の丸棒を長さ２５センチ太さ１２ミリの片側を釘の頭の用うにする為め金型を作りし頭の寸法２５ミリ厚さ８ミリにする前にガスバーナで赤目て金型へ入れて上から圧力をかける「削除」この延棒をリフト脇天板下の枠横木に入いる穴を間かくを決めてきつめに入れる又釘頭はリフト足置床両側の長円径の上の部分が釘の頭が入いり「変更」天板が平行になるように工夫をします。
【００１１】ジヤバラ幅の「変更」「〔図５〕」骨組平面図符号２１の「追加」拡大図「ハ」の左側Ｕ字及び下図クサリ組した金具は右側のＧ形金具とを同じにワイヤーロープで動ごく「ハ」背平面図でありこれを示す「ニ」正面図ハのニ及び「ホ」正面図ハのホでありこれら金具を使用して「〔図６〕」上部平面図の背もたれ扇形ジヤバラの骨組構図「〔図４〕」斜視図符号１９の丸ハンドルを回すと「〔図７〕」本体配位置図により「〔図８〕」足置骨平面図及び「〔図９〕」足置側断面図などを引き力を出すための「〔図１０〕」左右断正面図符号２７及び符号３０などのシヤフトギヤ構造を動ごかすコイル式レールブレーキ装置を回わすことで介護者本人の手動にて「変更」「〔図６〕」上部平面図の記号ハ及び「〔図１０〕」左右断正面図記号ハなどはワイヤーロープと共に背もたれ下中部に取り付た補助当て板金具は背もたれ骨組シヤーシの内側幅いっぱいの金属板を用いこの板の四隅に小さな丸い長細いローラをボルトで取り付けこの移動させる板を「変更」「〔図１０〕」記号「ハ」の位置の枕元下「削除」に接続するボルト穴に取り付けるとワイヤーロープによるシヤフトと共に枕元が折れ「変更」扇形ジヤバラが立ち曲がつてくる用うにした「〔図５〕」「変更」骨平面図符号２１及びこれらを示す図記号ハとニ及びホにした図面にて示しました。
「削除」「変更」「〔図６〕」上部平面図「追加」記号「ハ」「変更」「〔図５〕」上部骨平面図符号２１「追加」拡大図「ハ」「削除」枕元本体幅骨組及び扇形ジヤバラ骨組の「追加」「ハ」の骨平面記号ニ及びホの符号２１でありこの２種類Ｕ字及びＧ字形その下に平板金属板のクサリ状に溶接でとれ抜けないように組み込んだ部品とを併用して使用すると「図４」ような動きが出来それと災害時のための工夫には「追加」記号「ニ」及び「ホ」正面図「ハ」の「ニ」Ｇ字形金具は平時には１枚ザカネを取り付けた位置まで移動して２枚の当て角板に当り止まるのですこれが過ぎると災害時の時人を包んで出入口へ避難をするためですあとＵ字金具は平時共併用するためクサリ曲り以上当り角を組み付けて置きますこれら背もたれ幅天板下位置ジヤバラ１段目６か所全部に取り付けた厚さ１０センチのＳ字形折り曲げ部分は人力で上へ左右交互にし２枚の蝶番下の金属骨組も同じに抜ける仕組みでありその時のＧ字形金具とＵ字形金具の横穴棒が丈夫でなけれはいけません。
「変更」これらを初めにジヤバラの骨組の「追加」作り方は材料ステン延べ板「〔図５〕」上部骨平面図の「ハ」と「ニ」及び「ホ」符号「追加」及び記号「ハ」骨平面図とする木質加工は背もたれ側幅６０センチより２０ミリ天板下奥へ５０ミリの部分にはシヤバラ１段め木質材を平衡になるようにＧ字金具と「削除」２枚金板「変更」幅７０ミリ厚さ３ミリ高さ８０ミリにし「追加」図「ハ」のニのように下の四角い骨組が入いる角穴抜きをして骨角部品をこの奥の背もたれシヤーシへボルトネジで固定する又この反対側の角曲り止を付けた角材部品をまわりの木材で包んでこの金具中央部分にネジ穴を明けてこれを固定してＳ字形関節ごとに４枚板を組み込んでクサリ金具も入て行きこれと２枚の蝶番板もネジでＳ字形面を平らにしてはめ込みこの金属板Ｇ字金具角穴の１枚目は通過し２枚目のジヤバラ側へ当て止まり上げが出来るようにして置き組み立てをしますその図面は「追加」「ニ」正面図ハのニ及び「ホ」正面図ハのホなどの斜線は木材部品の穴の中と金具部品それを示す「〔図５〕」上部骨平面図符号２１及び「追加」「ハ」骨平面図のニの２１Ｇ字形にはザガネ当り止め付きとワイヤー通す穴図であり「追加」「ホ」骨平面図のホの２１記号Ｕ字形金具図でありこれらは２こずつ１つ所に使用します「削除」「変更」これら骨組と共に材木をＳ字形に加工した圧みの中へ入れた「変更」クサリ形の先端にはワイヤーロープを通すプリーを取りつけ「変更」Ｕ字及びＧ字形金具固定ボルト間の間だにワイヤーロープ用の穴を３ミリに明けた鉄板を下げこの穴にロープを通してこれを背もたれ内側のプリー左右６か所にひつかけてベツト本体箱の中のコイル式レールブレーキ装置基盤のプリーへ回し繋ぎ装置太ボルト用基盤の符号１７へ結び固定して使用する方が符号１９の丸ハンドルを回すと背もたれや足置床リフトも動ごかす補助つり上げワイヤーも同じに引き上げ下げになりますこれらを途中どこでも止めることが出来るのが大きな特徴のコイル式ブレーキ装置なのであります。
【００１２】「〔図６〕」上部平面図の「追加」「ハ」のニとホには符号２２と２３及び２４と２５にいたる背もたれ骨組ジヤバラ扇形へのワイヤーロープをコイル式レールより「〔図５〕」骨組平面図「削除」より引つはり背もたれジヤバラを上げ下げし符号２１「変更」の糸巻で戻す構造図ですこの作り方は基本の背もたれ幅６０センチ厚さ軸より３５センチの先を１０センチ厚さにし長さ５０センチを身長に合わせて作る「変更」この軸より１２センチ両側脇下には１か所めのＧ形金具のニ図が入いる位置の折り曲る木質外枠Ｓ形を一部金具をおさまり平らにし蝶番板両方２枚同じにして枠中へ１枚づつ計六か所に木ネジと接着済共で固定しこの先もＵ字金具を３列づつ木枠の中へＳ字木枠を掘つてその中に入れ木ネジで止めて行く前えにＧ字金具とＵ字金具の両先端に太さ６ミリの穴を明け横棒を入れた２つの間だは平ら金具板を横棒に溶接し四枚羽蝶番とをつなぐのです又この横棒板の真下へワイヤーを通す穴を明けた板を溶接をして置きますこれがすんだらクサリ状に組み立て溶接で固定した先端のプリーの下へワイヤーロープをくくり入れたＳ形木質１枚々を木ネジで団定し伸びちじみを確めて下さいこれがすんだらＧ字金具の工夫については本体背もたれ側の穴の明け方「〔図５〕」の二正面図及び平面図のＳ形木質枠の中へ組む背もたれ側の穴をやや大きくＧ金具用は立て長２列に穴を明けこれにＧ形金具へザガネを溶接した部分がジヤバラ側に当りＧ字形軸棒が以上に回りジヤバラ側の蝶番板が災実時は人間をジヤバラが包むようにする蝶番はその時きの工夫でありますその下の木枠へクサリ形ストツパー折れ以上曲り止め金具付きを入れる穴を四角に明けこれにクサリ形を入れ取り付けてワイヤーを本体背もたれプリーへ回しコイル式レールブレーキの符号１７へ繋ぐのであります。
【００１３】次に袖変形ボツクス「削除」・「変更」の〔図４〕斜視図及び「〔図９〕」足置床側断面図形の収納ボツクスの作り方は初めに木質材の変形内側の形ちを作りこれに張り付けて行く金属板の立ち上げ材の折り曲げ前の寸法長さ３７センチの上から１０センチ「変更」を曲げ４５度にしさらにこの逆に曲げる位置１２センチ厚さ６ミリ幅６０ミリ３枚をボツクス幅へ両はしとの真中へ１枚を均等にしボツクス幅５０センチ厚さ１２センチ「追加」変形４５度に曲げた上部先端５０ミリ幅板をプレスでＵ字形に曲げ組み付けし強くする為めその下の横板金属の寸法上から長さ１９センチとリフト側１３．５センチ幅３０ミリ厚さ６ミリにしその下２段め長さ１９センチとリフト側１４．５センチ幅６０ミリ厚さ６ミリで３段め長さ１９センチとリフト側１５．５センチ厚さ６ミリ幅５０ミリには底のアングル本体シヤーシと溶接しこれら２段めと３段め材は４５度の立て板に合わせて曲げてから溶接をするのですこれらがすんだら木質化粧板を金属を組んだ材をサンドイツチにする為め接着済を入れ２４時間以上置いた部品を本体ボツクス両脇に取り付る前に両はじの金属板の上から中央下位置へ「追加」太さ３０ミリ深さ５ミリの凸凹のへこみをプレスで出しこの長円形金具を脇凸金属板へ固定し肘かけを立てた時抜けないようにするためでありこれらをベツト本体両脇に取り付ける背もたれ側本体内立ち上げ金属板を木枠にそつて９０度に立て曲をした位置に溶接で付けるのとリフト側にはギヤボツクスの外脇板にこの変形ボツクス枠凹付き板を溶接で天板下のアンクルリフト金具シヤーシ共固定して置きます。次に「追加」収納ボツクスの中に入れる変形肘かけ袖延べ箱の作り方は天板２０ミリ厚さ１０センチ幅コロ軸穴３か所３５センチそれ以外は３３センチの箱の中には糸巻及びノブつまみロツク用とレンチハンドル及び丸ハンドル軸台など「変更」硬い木質長６１ミリ幅１０ミリ厚さ２０ミリを２本符号１９「削除」化粧板の「変更」裏側に丸ハンドル軸にＶベルトプリーを組み入れる厚さ１０ミリプリーを「変更」組み入れて脇袖延天板表面位置に丸ハンドルの上部分が出るようにしその他ノブつまみ便座用と糸巻装置セツトを組み込み「変更」又対面する肘かけボツクスには座ふとん用と足置床リフトのノブつまみを組み込みそれらをロツクの先へ結ぶワイヤーロープを操作が出来るようにする又変形肘かけボツクスをスライド用ローラコロ及びＳ形レールを２本を１組セツトを２か所に固定その中心にコロ太さ２５ミリ軸シヤフトを間だから出し小さなスプリングをザガネを入れて「追加」固定してＳ形レールに、はうようにするための角ザガネをＳ形のアール部分を上に曲つて動くコントロールできるようにしますこのコロを組み込む幅３５センチ「変更」両方２本レール間だ位置は回点コロの大きさ直径２５ミリ厚さ８ミリ軸太さ５ミリ長さ４０ミリのコロとコロの間だ中必に太さ２ミリ棒を入れこれをＳ形レールの間だから出し曲げた角ザガネを入れ小さなコイルスプリグを入れてその後小さなザガネを入れナツトで調制出来るように組み立て行くのであります「追加」両枠袖変形ボツクスの凹凸ボタン加工は金型で作ります。・・・・「変更」・斜祖図〔図４〕符号１９の丸ハンドルを回すと背もたれ両脇ジヤバラ及び足置床リフトが「〔図８〕及び「〔図９〕」の足置骨平面及び側断面図符号２６及び２９と３０などのシヤフトが同じに動く仕組でありますこの製造は背もたれ骨組シヤーシ内側幅いつぱいの金属板を用いしこの板四隅に小さな丸い長細いローラをボルトで取り付けた「変更」「〔図５〕」符号２１のハの・ニの「追加」・骨平面拡大図などの金具によりコイル式レール符号１７の「変更」ワイヤー及び「〔図１０〕」左右断正面図符号２７の背もたれシヤフト及び「ハ」の補助シヤフト共に枕元下「削除」のボルト穴に取り付けワイヤーの先をくくりつけたベツト「〔図６〕」の及び「〔図１０〕」の「ハ」及び符号３０足置床リフトが同じに動くのであります。
【００１４】「〔図６〕」「追加」足置床リフトをのぞいた上部平面図でありますこの符号２２はベツトの上でトイレを使用した後便座及び座ぶとんを戻すための手動ハンドルボツクスであり「変更」これらは普通式と水洗式がありいづれにしても使用した方が手で戻す作業をするための符号２３及び２４などのロツクノブつまみでありますこれらつまみノブ軸の作り方はまず肘置のボツクス脇板１２ミリ化粧板の厚さ物に出すノブの頭の部分は強化プラスチツクの軸を埋め込む太さ８ミリ長さ全長３８ミリの内６ミリ下２ミリ位置に軸棒をつつむ丸パイプの裏側にザガネを溶接するあるいは軸に多少の段さを旋盤で削つて組み立る時に軸に入れるもよいこのザガネが化粧板の堀り込み位置ピツタリ平らにしますその軸を旋盤で６ミリ太さで長さ１７ミリ位置に化粧板から軸が抜けないようにする厚さのザガネを入れてこの１７ミリ下軸の長てにキー溝を堀つて置長さ１０ミリ幅２ミリこれにＳ形金具ワイヤーロープを回わし引く横板をキー溝と共に入れて薄いザガネを入れ軸にボルトネジナツトを入れて締めるとよいこれらの材質は鋼材の丸棒及びスレン材か鋼材には焼きを入れて置くことこれらの部品は符号２３と２４及び２５に使用する部品であります。これら部品を組み立るとこのノブ軸がいつたん回して止めて置く部品を作るには構造のＳ形の頭が入いり止めをする為めの部品で符号２３の便座用と足置床リフト用符号２５などの金具部品はひの字形板バネを取り付けてこの谷間にＳ字形の頭が入いり止めするのでこれらワイヤーロープの先にはロツクの頭の部分を作り取り付けなければなりません符号２３の便器用ロツクの形ちはトイレ用器底下に鋼板厚１ミリ幅２０ミリを立ち上げ高さ１．５ミリに両側にしてその先の形ちを山の富士山に曲げその下３ミリに横穴を明けてこの穴に入いる鳥の猛鳥の口の形ちに曲りにする為の鋼材を四角形材を長さ２６ミリ幅と厚さ１２ミリを用いこの棒の切断面より下へ５ミリ位置には太さ３ミリの横丸棒がひつかかるように猛鳥の口先にしますこの部品は便器の底に３ミリ横棒を取り付ける部品です説明がひとつ先になつた元に戻して鳥口形ロツクの尻の部分６ミリには１．５ミリが入いる角パイプ長さ１０ミリを尻より３ミリ戻した鳥形口の尻を斜めに削り４５度にしてその下は口先から１３ミリ位置には「変更」山形の穴３ミリに横棒が入れられるように谷山の形にし２ミリ位置下へ３ミリの横棒が入いる穴を明けてその尻側に戻すための４５度下にワイヤーを通す穴を明けてこの位置には小さなコイルスプリングをワイヤーに通してからこれへ取り付けるその時四角いパイプ下側にワイヤーを引いた時に口先角材の尻の下の部分が角材に当らないように処理をしてから組み立てこの便座底下にはうず巻バネ中真中に取り付けをします。次に「〔図６〕」上部平面図符号２３の「追加」糸巻用ハンドルは肘置きボツクスの中に取り付けるレンチハンドルの頭の作り方「変更」鋼材丸パイプ長さ３０ミリ太さ１６ミリ厚さ２ミリ先をガスバーナで赤目プレス金型で四角にしますこの先立横８ミリにした後ろを鉄板長さ８０ミリ幅２０ミリ厚さ１．５ミリ板に溶接しこの裏面対側先に手で回わすにぎり棒も板に穴を明けてこれにさし込み後方から溶接で固定しこれに１回太いパイプカラーを入れザガネと皿ビスでネジ切り込んだ真上に固定してこのパイプが回わるようにして置きます。
【００１５】「〔図６〕」符号２２と２３など箱の見えない部分の工夫の作り方は符号２２の工夫はレンチの前行の軸ガードカラーを入れ止める化粧板ボツクス上の金属板の寸法長さ５０ミリ厚さ１ミリ幅４０ミリの四隅に木サラビス用と中央部分に１７ミリのレンチハンドル用の穴を明けて仕上げをします。次に軸ガードカラーの作り方は直径１８ミリ長さ１４ミリの下より上に４ミリ斜め削りを内外側へ脇を削る鋼材の位置に穴大きさ８．２ミリにキツチリ明けその上の穴１６ミリですがここに入れるボツクス軸が回わるようにして置きます、次にその軸の作作り方は鋼材丸棒太さ１６ミリ長さ３８ミリ磨材を用いその頭を深さ６ミリ幅８ミリに四角形に削りその下部分９ミリより上に４ミリ位置まで斜め削るこの部分はガードカラーの角度と同じにしこの部分下は太さ８ミリ長さ２８ミリ位置より上に太さ６ミリを太さの長が手にキー溝を幅１．５ミリ長さ７ミリ深さ１．５ミリを太さ８ミリと６ミリの部分に半ん半ん位置にまたがるこの部分２０ミ直径の厚さ６ミリの４５度斜めギヤが入いる所３でこれにもキー溝を入れて共回り止め部品は小さな物であります、又軸棒長さ３８ミリ真下に太さ２ミリの皿ビスを中必明けてこれへ４５度ギヤとキーと共に入れて皿ザガネとビスで締て置くこの半ん半んにすると軸棒が折れないようにと工夫した物であるこれら糸巻部品の４５度は四方面に向き合いこの内対面するギヤにも軸棒を作る構造は対面する箱裏板より前行と合わせ裏板高さ２０ミリより４５度斜めのギヤ無し直径２０ミリ厚さ６ミリを軸柱長さ３３ミリの全長を２分の１にわけて１つは基盤用直径２０ミリ長さ１２ミリ上より下へ深さ６ミリ太さの２つ目に糸巻軸が入いるネジを共に切りボルトにして置き入れるこの糸巻軸柱は四角形鋼材長さ２５ミリこの下部分にはギヤの無い４５度の斜めコロを入れ中必に皿ビスで止めこの外側へ２つ目の糸巻軸用ネジを切つてこれとを繋ぎ止めした柱は糸巻横棒軸パイプ用の穴を太さ８ミリを幅１５ミリ厚１０ミリの角棒柱長さ１５ミリ上より下へ６５ミリ位置は穴を明けてこの太さ８ミリに入れる横パイプ糸巻用の長さ５５ミリにした両端共に長さ６ミリ幅２ミリの切り込みをしこの切込にはコイルスプリングとザガネを入る前に１回り大きなパイプを両側の糸巻プリー用穴太さ１０ミリパイプ長さ１５ミリ「変更」このパイプには糸巻用の止めザガネをパイプに溶接をして置き左右の左側の糸巻プリーの直径４０ミリ幅１３ミリの内厚さ８ミリには３５ミリ外径から凹プリー溝を入れ右には４５度ギヤの斜め上の部分直径２９ミリ厚さ５ミリには斜面ギヤを切り込みした後太さ１０ミリのパイプ「追加」両先端にザガネを溶接するワイヤーで引つぱるためのザガネの工夫は中穴を２分させる棒をのこしてこの中棒にワイヤーを結ぶこのザガネを１０ミリプリー用外側へ大切に溶接をします左右の糸巻プリー共であります又この寸法４０ミリ直径は座ぶとん用の糸巻符号２４のノブつまみとをワイヤーで綱ぐものであります。
次に右側の便器用凹プリーの直径３１ミリ幅１３ミリその内厚さ８ミリは凹プリー糸巻溝２５ミリに入れた左側には４５度の斜面ギヤを切り込みその後の工程は同じですこれが終つたら横軸パイプに組み立をして「削除」前行に示した工程で作ること、「変更」これら糸巻用プリーの両方をパイプ軸に入れた後両先端の切り込みに入れるザガネの中央にワイヤーの穴を明けて軸パイプ用の内外どちらかのコイルスプリングと止目ザガネを溶接して肘かけボツクスへ組み立て行きますここまでの説明は肘かけ延箱の中に組み込んだ糸巻を「追加」ノブつまみのロツクを解除した時に空ら回りになる装置の構造であります。
【００１６】・次に〔図６〕符号２４のロツクの作り方は符号２３共大きさ１．５ミリ角形鋼材長さ３０ミリの頭の部分の上になる角度は半円径に削りこの部分２ミリがかかる四角平「変更」形の頭の部分が入いり止めできる金属の箱の中にロツクの頭８ミリ幅が入いり太さ２ミリの横棒にスプリングの力でノブつまみを回し解除した時にはずれ使便をすました後糸巻装置をハンドルで戻した時にカチツト音がして２ミリの横棒にひかかる構造にしてこの箱ロツクを入れた後ろ側へはワイヤーが通る穴を明けた角形ザガネを溶接する前にロツクの尻の穴の中へコイルスプリングを入れて置くこれらを便座用及び座ぶとん用へ適切な位置に取り付けて調節をして置きます。
【００１７】「追加」〔図７〕本体平面配置図には介護用ベツトボツクス台のコイル式レールブレーキ装置を左右に位置してその間だに便器を入れて水洗式の配管を組み込んだ物及び「〔図４〕」の符号２０の斜視図のように下へ降りる工夫による「〔図８〕」足置骨平面図及び「〔図９〕」足置側断面図の構造図によるなどは左右のジヤバラ及び延べ肘かけや足置延べ板などをのぞいた図面です。
【００１８】「〔図８〕」足置骨平面図「変更」「〔図９〕」足置側断面図の符号２６及び２９の垂直レール及びその凹コロとこれを入れるボツクスはベツトと使用を共有するリフトでありますこの目的は・「追加」・課題を解決する最大になる手段には老う老介護方へ１番に作つて上げたいトイレ付きのベツトでありこれらを動ごかす本発明請求項１のコイル式レールブレーキ装置を応用したベツトであります、これらを使用した背もたれジヤバラが無いとベツトの上「追加」にあがれないことと座つていても頭や肩が左右に曲つてくるのをふせぐ又看護婦さん及び士さんの腰に負担防止にもなる物でありますそれと体重が巨大な方も多いからねこれらの部品の作り方はまず凹コロの太さ２５ミリ厚さ１０ミリは「変更」レールの幅に合わせて幅１０ミリのレール用溝の深さ３ミリを外形から削り脇１ミリをのこしたコロ軸の太さ１０ミリにはカラーパイプの厚さ２ミリの物を入れた寸法１４ミリ太さで長さリフトを支える金板８ミリにし対面する金板６ミリを入れるボツクスは溶接で作りこれに入れる穴へ軸とコロは１つの部品と「変更」して削る鋼材で作ることが大切であります、次にこれを入れ支える枠板ボツクスの作り方は厚さ８ミリ高さ５０ミリ長さ８０ミリの中必へ４０ミリ「変更」はリフトボツクスの金属板の横板へ「追加」と溶接する高さ５０ミリにはコロ２つを入れる厚さ６ミリ長さ１９ミリ側には垂直レールを支える縞板が擦れ違う長さでありこれにコロ軸の穴を明け対面する支え板・「変更」の軸穴へ入れて置き「削除」・「変更」これに対面する支え金属板８０ミリのベツト側に入いる枠の中央に軸穴コロ用太さ１４ミリを明けた横板高さ２８ミリ長さ１９ミリ厚さ６ミリにはコロをボツクスに入れたまま治具「変更」・に固定して点溶接をし碓めた後本溶接をします・これらコロボツクスを入れはめ込む垂直スライドレールのベツトの高さに合せてこのベツトの高さ４３センチ幅２３ミリ厚さ１０ミリ左右「変更」をリフト用及びギヤボツクス両脇に板厚さ８ミリ分間けて凹コロボツクスを枠付けした部品などはオーナ様の家で組み立る物となります
【００１９】次に・「変更」垂直レールコロ用ボツクスと共に動ごかす為の「〔図８及び９及び１０〕」の符号３０のギヤとボツクス及びシヤフト「〔図１０〕」に示めす「符号」の２７は背もたけ用などはコイル式レールを回すことで動ごく力を利用したギヤとボツクスシヤフトとシヤーシを「追加」連結すると課題を解決できるこのギヤの作り方は鋼材の丸棒太さ５０ミリ長さ５２ミリ「削除」を２つ分共にギヤ山を立る機械はセーパーに固定しひと山ずつ目盛計に合せて削る切削刃をその形にととのえてから作り初める角度は１００度分でよいこれが出来たら「変更」・両方共軸ボツクス穴に入れる脇を旋盤で「削除」１つずつ「追加」にわけて軸棒を削り出して焼を入れて「変更」から「〔図８から１０〕」の符号３０へと治具へ固定して点溶接をし確めてから本溶接をして素早く油の中「追加」と水の中へ入れて焼き止めをして置きます。次にギヤボツクスを作る寸法左右両脇へ組み入れる「追加」・材質はステン板及び鉄板長さ９０ミリ厚さ６ミリ幅５０ミリへギヤ軸を入れたまま治具に固定し点溶接して確めて本溶接を「〔図８から１０〕」符号３０の足置リフトの骨組シヤーシへと溶接して納品時その家で足置板裏のアングルとボツクス底板を移動させてこれがコイル式レールを回した時に上下するように木ネジと接着剤で止めてから人を乗せて確めて上下に動ごかして見て下さい。  次に・これらを取り付ける足置床リフト「変更」ボツクス〔図４〕〔及び〕「〔図８〕」足置骨平面図〔及び〕「〔図１０〕」左右断正面図〔及び〕〔図９〕足置側断面図符号３０などのリフトギヤ〔及び〕垂直レールコロボツスシャーシの使用目的部品の作り方は「追加」垂直レール用コロのボツクスを溶接する板長さ５７センチ金属板これにギヤリフト用シヤーシなどを固定するリフト側金属面天板２０ミリ厚さの半分に当る１０ミリ下には天板奥幅４０ミリ厚さ４ミリ延ばし溶接で横付けるリフト側の金属板の横長手材５７センチの長手に溶接を幅６０ミリ厚さ６ミリ「変更」は垂直レール用コロ２輪側をこの横長手５７センチ両側共５０ミリ内側位置コロ２輪ボツクスを溶接するこのボツクス固定用スペースを明け切り取り天板下延横板４０ミリとを溶接するのですこの垂直レールコロボツクスの脇「追加」金属アングル幅リフト当て板を裏面立横２０ミリ長さ４８．５センチ反対側先端の枠木質板へ木ネジと接着済で固定このアングル２０ミリと天板下の間隔に「〔図８〕」符号３０のギヤボツクスから延びるリフトシヤーシ板を上下させる移動板の軸シヤフトが入いる位置になりますこの足置床リフトの大きさ幅６００ミリ長さ５００ミリベツト長手のことです厚さ７０ミリ外枠としてその内側に金属板構造が入れ組み立てはオーナー様の家でベツト本体の上から入れる方法になります。
次に「変更」「〔図８〕」符号２６「追加」垂直レール立てに長さ４０センチ幅２５ミリ厚さ１０ミリを固定する中板縞板の立さ３９センチ幅５８６．８ミリ厚さ４ミリの「変更」両側へレールを溶接して置きこのレールの上から差し込む方法にします、これに入れる「〔図８〕」符号２９の垂直コロボツクス枠板「追加」コロ板板の作り方は厚さ８ミリ幅５０ミリ長さ８０ミリに対面する枠板の寸法には立てあるいは幅５０ミリ長さ３０ミリの中央部分には太さ１０ミリのコロ軸穴を明ける板厚さ６ミリの横板を溶接する板高さ５０ミリ幅１９ミリ厚さ６ミリの面にはリフト側奥へ４０ミリ入れて溶接する所で凹コロ２コ入れるこれにベツト内側に凹コロ１ツを入れる所の枠板の寸法は長さ８０ミリを前行で書いた物をコロ１ツが入いる大きさの中央部分より４０ミリを高さ２５ミリにして対面と横板もそれぞれ上の位置より２５ミリにし太さ１０ミリの軸穴を明けてこれらの穴には凹コロ太さ２５ミリ長さ２７ミリの両側を旋盤で枠板に合わせて軸を削りこの間だには凹形に削る溝の深さ３．５ミリを外形から削り脇１．５ミリをのこすこれらを組み立て溶接する時は必らず治具に固定してから点溶接をし確めて本溶接をします。以下文「削除」
次にリフト用ギヤは「削除」・「変更」「〔図８〕」足置骨平面図及び「〔図９〕」足置側断面図図及び「〔図１０〕」左右断正面図符号３０のギヤボツクスからのシヤフト及び足置床リフトを動ごかすギヤボツクスの作り方は右左共組み入れるギヤ軸穴を明けた両脇共長さ９０ミリ幅５０ミリ厚さ６ミリにギヤ部分と軸を「変更」ひとつの部品にし作ること又枠板に太さ５０ミリ長さ５５ミリの切断ノコギリ分残すこれを軸とギヤ部分２ツ分ギヤ山をセーパー機械でひと山ずつ目盛計に合わせて切削刃をその形にととのえて作り初める角度は１００度分でよいこれを旋盤で仕上げてから鋼材用の焼きを入れて置き符号３０のギヤシヤーシお皿形金型で裏当板と確めてから本溶接をして置きベツト本体のリフト側の底金属板へ組み込み溶接で枠板を固定し仕上げて置きます。以下文「削除」
2007151563.tif 000002
にこれに金属枠板リフトコロ側厚さ６ミリ長さ５８．２センチ幅「変更」５０ミリをアングル形に曲げこの面両左右位置にはコロボツクスを溶接出来る間切をしこの部分奥に４０ミリ幅２８ミリ側へ２段コロ方向にアングルへ溶接をし垂直レールがややスライド斜面であるのを注意すること又コロボツクス脇板には「追加」さらに「〔図８〕」符号３０につなぐアングルを天板下へ延ばす幅３０ミリ角を長さ５０センチを外後ろ枠に固定しこの中央位置にはギヤシヤーシ先の移動式上下コロリフト天板裏当板軸を入れ動くようにするための部品でさらに天板横両脇の延べ板金属板へ釘頭を入れ止める長円径の穴を明ける鋼材の寸法長さ５０センチ厚さ６ミリ幅５０ミリへ６か所に長円径の穴位置には２重にし溶接で左右６か所付けてこれに延べ板を取り外しが出来るようにする「変更」この位置は天板下「〔図９〕」足置側断面図符号３０の裏の点線図のギヤ及び垂直両ボツクスの両シヤーシから延びる底固定リフト板長手方向中央に長ボルトを通す穴を太さ１０ミリを入れて置きこれを両アングルの中へ入れたその軸にアングル幅３０ミリへ入れる軸カラーをはめてアングルへ入れて抜けないようにしこの裏当板と共に移動し上下するうけ皿四隅にリフト底板を固定させる木ネジで止めて置きオーナ家で組み立ます、尚裏金属板はすべて金型プレスで作ります。以下文「削除」
次に「変更」これらの垂直レール及びギヤボツクスのベツト後部分本体中の足置床リフトをワイヤーロープで垂直レールボツクス後ろ位置へリフト補助横棒つり上げシヤフトを上げ下げするためギヤボツクス共にしつかり固定することのためにベツト本体からの金属アングル長さ８０センチは上部と下の長さ８４センチ幅立て横３０ミリをトイレ脇ボツクスの上下に垂直レールをささえる縞板へと溶接で固定するこれらを動ごかすコイル式レールブレーキを回す〔図４〕符号１９の丸ハンドルを回して動ごくことを確めて又「〔図１０〕」符号２８のリフト下がり止めロツクを出す「〔図６〕」の符号２５のノブつまみで止めるなどをして置き人を乗せて装置を設定し符号３６の縞板及びトイレボツクスからアングルへリフト横吊上棒が上がりアングルに当らないように調整しながらカツトをしてギヤリフトボツクスなど「〔図１０〕」の左右断正面図符号２７〔及び〕符号３０までのシヤフト金具を溶接してボルトナツトで固定をして作ります。
【００２０】次に「変更」ベツト本体正面右左側と背もたれ「〔図１０〕」符号２８のロツク〔及び〕袖延肘かけボツクス〔及び〕〔図４〕符号１９の丸ハンドルなどの構造の説明であります初めにこれらベツト枠の立ち上げ部分金属板左右共ボツクス長が手上は背もたれ部分側軸真より３５０ミリ足置床リフト側へ４５０ミリ上部が別れ「〔図１０〕」図のように作られます説明には上下部分の作り方は両側に別れになるこのコイル式レールブレーキ装置を固定した両側のアングル幅高さ３０ミリ共立ち上りより天板下のアングル材背もたれ軸パイプ２重にし長さ１２センチ位置は深さ５０ミリ幅４０ミリはジヤバラ１段め「変更」「〔図５〕」符号２１の「追加」ニの骨組の、Ｇ字形金具を組み込む蝶番を入れ左右共でこのアングルのボツクスの上先端は長さ３０ミリ立さ３０ミリ部分天板２０ミリ下へ下げその点から点を結すぶ位置を斜めにボツクスの化粧板と共に下へ５０ミリボツクス幅６００ミリいつぱいに下げて置き「変更」背もたれシヤーシ〔及び〕補助シヤフトが当る所ろですこの位置便器取り出しふた〔及び〕ドア側の両コイル式レールブレーキ装置左右共に脇立ち上げ金属板高さ底下アングル上３２０ミリ幅５０ミリ厚さ３ミリ上部には前の点から点を結んだ上部アングルとを溶接をしてこの部分の斜下位置には背もたれ補助シヤフトの軸を溶接で取り付ける軸の太さ３０ミリ内訳はパイプ長さ４０ミリの半径中心左右にはこのシヤフトが固定され回転軸の太さをアールにそつた楕円形の穴を明けこの位置に補助シヤフトとパイプの脇共に立ち上げた鉄板之溶接をトイレ上のアングルから下げた鉄板と共に取り付けた部分の箱脇も穴を明けてシヤフトカバー共ワイヤーを枕元下に結び調整して組み立て仕上げて行きますと「追加」この説明よりコイル式レール固定上のシヤーシ上部位置「変更」は「〔図１０〕」符号２８のロツク左右断正面図〔及び〕「〔図６〕」符号２５上部平面図のつまみノブとを繋いで足置床リフトを下へさがらないようにするロツク部品の作り方は基板にする為の「変更」四角パイプに入れる全長５１ミリ厚さ２ミリ板へ横穴長さ２０ミリ幅５ミリに両面明けロツクを通す穴を明けた厚さ６ミリ角ザガネを溶接でつける時つつの下へ出さないようにするこの底面とコイル式レールシヤーシへ溶接する為でありますこの後ろの面つつにも角ザガネにワイヤーロープの通す穴を明けてから溶接で取り付ける前につつの中に入れるロツクの四角鋼材の寸法長さ５０ミリで立横２４ミリを使用しこの先２０ミリ符号２５のつまみを回すと符号２８のロツクが飛び出してリフトが下らないので足を伸ばして楽しむことが出来ようしたこのロツク長さ５０ミリ立横２４ミリ材中央部分尻側よりスプリングとワイヤーロプを結ぶ棒状のフツク用を共に明けてつつに入れその後ろに角ザガネを溶接で止めてあとは取り付けるのであります。
【００２１】一般用は２分のベツト本体内の金属〔及び〕木質材は本体長てに介護用は３分１に別ます幅２０センチずつに普通一般用に２分１に別この介護用の作り方には真中トイレボツクスが入りその上の部分には座ぶとんが入れられる構造を「追加」〔図７〕〔及び〕「〔図１１〕」の配置平面図〔及び〕中間断正面図作るのでありますこのベツトの横幅が狭いのは日本の基準法が古いのであり「追加」ベツトに人間を乗せたまま出入口へと思つてもバリアフリーを活用してわと思つている所でありますそのことを願つて現実の寸法「変更」木箱の長さ８４センチ幅６３センチ高さ４０センチの「変更」両左右右幅２０センチにはコイル式レールブレーキ装置を配置する所とこの真中トイレボツクス金属板「変更」箱の長さ６８センチ高さ３３．５センチ幅２０センチには便器取り出し口〔及び〕水洗使用の配管が上下に動けるように奧板に切り込みを入れて置きますこれ「追加」ら両枠板〔及び〕天板上より下９５ミリ位置は座ぶとん台車用のレールを枠板へ取り付て細長い伸び縮みするスプリングとワイヤーを組み合せた部品をこのレール後のプリーにかまして「〔図６〕」符号２４の座ぶとん用ノブによるロツクをはずした時点の後には便器座の「〔図６〕」符号２３のトイレ用ノブとロツクをはずすと箱底位置高さ５０ミリ幅２０センチの中に取り付た富士山形の丸いバネの間のロツクがはすれて便座台用器が寝てる人のお尻へと上がつてくるこれに〔図４〕符号１９の丸ハンドルを回して寝る人を座わらせてからでも同じことが出来る工夫と便器用台底のロツク横棒金具符号３５を組込んだベツトであります・「変更」次にベツトボツクス本体の便座以外の金属〔及び〕木質と化粧板などの説明をしますこの本体左右にはコイル式レールブレーキ装置を〔図７〕平面配置図に示したようになり介護用ベツト「削除」・「変更」「〔図７〕」本体平面配置図〔図１１〕」中間断正面図符号３４「追加」〔請求項３〕の電玉温水器ガラス水構災害一体装置の「〔図１２〕」正面図〔及び〕「〔図１３〕」平面図符号３７〔及び〕符号３８と３９それと符号４０などによる噴射させる「変更」ゴム台凹ベンバルブ〔及び〕湯を押し出すピストン缶〔及び〕ピストン噴射軸を安定させる４本の細い柱を水中ピストンおもりはペツトボトル５００ミリリツトルを再利用しこれを安定させる符号３７〔及び〕３８Ｍ形平板の四隅に細い柱穴「変更」符号４０の半月形を押し上げる為めの水中うきとをガラス水槽ボツクスでありこれらを動ごかす本名の電玉〔及び〕筒は水もれ防止めした中には適切な電玉を下から投電しその上に細焼突から水蒸気を出すこのまわりの上に位置する所に金属皿には次ぎ「変更」湯にするゴムホース管の中に水を蓄えるようにした工夫商品でありますこれらの水槽配管を介護用ベツトトイレ付きは利用者を災害時に避難する時にベツトの配管を一気にはずし患者さまを乗せたまま「変更」「〔図１６〕」正面図符号４３〔及び〕４４それに符号４５〔及び〕４６などを足で力いつぱい踏み抜くと「〔図１８〕」の「変更」側面図符号４６のボール付板バネ〔及び〕強化プラスチツクボールによりベツト全体の配管パイプが抜ける方向へ力いつぱい押し出すと「削除」し「変更」「〔図２５〕」正面図〔及び〕「〔図２６〕」側面図符号５３「追加」をベツトの底脇に固定しこれにより災害時には段差を乗り越え外へ脱出することが出来る工夫の一輪大きく組み込んだ符号５４車輪がこの大きな特徴である「追加」次に箱形式高級枕「〔図９〕」斜面図符号４７は高さ調節埋め込みリング「〔図２０〕」横面図符号４８は高さバランスシヤフトを「〔図２１〕」正面図符号４９を回わると符号４７の埋め込むビスの位置が回わすたびごとに２本が変わる高さに工夫したのが特徴である次にリンゴ形式スプリングバネ「〔図２２〕」正面図符号５０の外側丸みの形ち及び「〔図２４〕」押面図符号５２のように押されると倍率の強みを出す工夫であり一般用ベツトに組み込んで行く部品で「〔図２３〕」符号５１の三方向につぶれるのが特徴の平面図は広く利用できる物でありますこれらの商品化して行きたいと思つています。
【発明の効果】
【００２２】本発明の効は初めて手動式「変更」リクライニングの扇形ベツトにこのコイル式レールブレーキ装置を使用することにより人間生活のやくにたつ物と思つています。
【発明を実施するための最良の形態・実施例】
【００２３】本発明の「〔図１〕」を製作するためステン加工が出来る鉄工所へ行きその工場の「変更」機械を借り初めに丸く巻く道具を作るため旋盤とアーク溶接機やボール盤などを借りて道具作りそしてそのステンレスの硬い方の丸棒をガスバーナで焙りながらコイル式レールブレーキを作つたそれから内径側へ入れる小さなステン材プリーコロを小形旋盤で削りそれにネジ穴を明け、脇にネジ山を切りをしたあとは組み立てるだけであります。「削除」
【産業上の利用可能性】
【００２４】この本発明によりこの日本を初め多くの所で可能なかぎり利用した人間社会に「変更」プラスになると思つていますそのために１ツ目に手動式一般用と介護用ベツトは日本式の綿ふとんやマツトレス加工販売をこの沖縄県に実現したいと思いその他の外へ脱出する車輪や電玉温水水洗用は室内用としてガラスケースに「〔図１２〕」の一体化した気器及び「追加」「〔図２５〕」の脱出用車輪が心用と考え「変更」「〔図８と９と１１〕」の災害脱出用なども含めるこれらの部品を合せた物をと思つて計画した者であります。
【図面の簡単な説明】
【００２５】
【図１】本発明の実施形態を示すコイル式レールブレーキ装置の正面図
【図２】同コイル式レールブレーキ装置の半横面図
【図３】同コイル式レールブレーキ装置の凹コロをシヤーシローラの平面図〔０００８〕
【図４】ハンドル手動式介護用と一般用扇形リクライニングベツトの斜視図
【図５】同し扇形ジヤバラ中へ組み入れる骨図の拡大図ハのニとホ  上部骨平面図「追加」
【図６】同じハのニとホ背もたれＧとＵ字を材木の中に入れた点線内上部平面図「追加」
【図７】同じベツトの動力のコイル式レールブレーキ装置と便器の排水本体平面配置図
【図８】同じベツトの足置床リアリフトの                            足置骨平面図
【図９】同じベツトの足置床リアリフトの                            足置側断面図
【図１０】同じベツトの左右共コイル式レール２本とそのシヤフトの      左右断正面図
【図１１】同じヘツト介護用便器と座ぶとん収納配置の                  中間断正面図
【図１２】電玉温水器ガラス水槽災実脱出一体装置の水圧噴射温熱度装      正面図〔００２１〕
【図１３】同じ                                                            平面図
【図１４】同じ                                                            前面図
【図１５】同じ                                ポンプ水圧噴射温熱度  後中間断面図
【図１６】介護用便器配管を外ずし災害脱出するための電玉温水と排水管抜き正面図
【図１７】同じ足で踏み込むペタルと横向きパイプ外ずしベツト側面から外す側面図
【図１８】同じベツト底下の排水室内管を床下より出た部分を押す力で外す管正面図
【図１９】箱形式高級枕には高さを変える丸ハンドルがついている              斜視図
【図２０】同じ横化粧板を外した図であります                                側面図
【図２１】同じ外ボツクスには両側面に手で回す丸ハンドルがつく              正面図
【図２２】りんご形式スプリングバネ介護用と一般用クツシヨンの              側面図
【図２３】同じ板バネが３方向へつぶれ広ろがる２枚の                        底面図
【図２４】同じ板バネを上下から押した１枚目と２枚目共で力が倍になる        押側面図
【図２５】災実脱出用車輪は介護用ベツト底四隅に取り付けます                正面図「追加」
【図２６】同じ脱出用車輪には一回大きさの車輪が特徴で回点がよくなる        側面図
【図２７】同じ底の段さ車輪により敷板の段差を乗り越えるようになる物        底面図
【符号の説明】
【００２６】「変更」
１  長ボルトです
２  Ｖベルト用プリーです
３  軸プリー及び回転板円心オモリと軸溝コロ用の軸パイプです
４  コイル式レールブレーキ主軸を牽引するワイヤープリー用です
５  軸小形溝コロ用のパイプの溝です
６  溝コロ凸です
７  太ボルト凹プリーはベツトのシヤフトを押し引き回点するのです
８  コイルの内側及び直線レール用コロです
９  コイルの心回点軸台用ピンです
１０  鉄板で溝コロボツクスとワイヤー用プリーを組み立る物です
１１  符号９と同じで軸パイプとコイル式レールをつなぐ物です
１２  はこれらをさした大切なナツトとボルトです
１３  太ボルトです
１４  太ボルト用カラーパイプです
１５  直線レール用とシヤーシです
１６  太ボルトと直線レール用コロ軸と軸共回り止めツメザガネとビスです
１７  背もたれ及びリヤリフト用のワイヤーのフツクです
１８  コイル式レールブレーキのコイルです
１９  ベツト背もたれ扇形と足置リフトを操作する丸ハンドルです
２０  丸ハンドルを回わして下の床に降るリアリフトです
２１  扇形ジヤバラの骨組みとその拡大図「ハ」のニはＧ形とホはＵ字形蝶番「追加」
２２  座ぶとんと便座を戻すためのレンチ糸巻ボツクスです
２３  トイレに底下ロツクを解除するノブつまみです
２４  座ぶとん脇ロツクを解除するノブつまみです
２５  足置床リフト降り止めロツクのつまみは符号２８とワイヤーロープでつなぐのです
２６  垂直レールをささえる化粧板の縞板です
２７  背もたれシヤフトです
２８  足置床リフト降り止めロツクは符号２５とつなぐのです
２９  足置床リフト補助ワイヤーロープとシヤフトです
３０  足置床リフト用ギヤボツクスとシヤフトです
３１  座ぶとん細長スプリングとワイヤーロープ用プリーです
３２  座ぶとんの定位置とこれを便器使用時の収納位置です
３３  座ぶとん用ロツクは符号２４とつなぐのです
３４  便器用排水管です
３５  便器用スプリングとこの中心に組み込むロツクは符号２３とつなぐのです
３６  便器が上下に移動出来るようにする配管ジヤバラホースです
３７  電玉温水器用おもりつき安定板です
３８  同じ  おもりうきです
３９  水洗温水配管ピストンゴム台です
４０  水洗温水ピストン圧力用月形ギヤポンプです        「追加」
４１  電玉熱で棚皿ホース水温水にしておくホース水です  「追加」
４２  電玉のツツです
４３  電玉温水器配管を災実時ベツトの取りはずしペタル  「変更」
４４  ペタルを足で踏み込むとこのパイプ軸より奧のパイプを抜くのです  「変更」
４５  便器用排水管取りはずし管です
４６  同じスプリング硬化プラスチツクボールです
４７  箱式高級枕の内部高さ調節左右軸と凹凸ベルトです
４８  同じ高さ均等シヤフトです
４９  同じ符号４７を回わす丸ハンドル左右共手回用です
５０  りんご形スプリングバネの伸びた状態です
５１  同じ潰して三方向に広がるのです
５２  同じ潰して２重の力が出るのです
５３  災害脱出用車輪です
５４  同じ一輪大きい車輪です
【手続補正２】
【補正対象書類名】図面
【補正対象項目名】全図
【補正方法】変更
【補正の内容】
【図１】
2007151563.tif 000003
【図２】
2007151563.tif 000004
【図３】
2007151563.tif 000005
【図４】
2007151563.tif 000006
【図５】
2007151563.tif 000007
【図６】
2007151563.tif 000008
【図７】
2007151563.tif 000009
【図８】
2007151563.tif 000010
【図９】
2007151563.tif 000011
【図１０】
2007151563.tif 000012
【図１１】
2007151563.tif 000013
【図１２】
2007151563.tif 000014
【図１３】
2007151563.tif 000015
【図１４】
2007151563.tif 000016
【図１５】
2007151563.tif 000017
【図１６】
2007151563.tif 000018
【図１７】
2007151563.tif 000019
【図１８】
2007151563.tif 000020
【図１９】
2007151563.tif 000021
【図２０】
2007151563.tif 000022
【図２１】
2007151563.tif 000023
【図２２】
2007151563.tif 000024
【図２３】
2007151563.tif 000025
【図２４】
2007151563.tif 000026
【図２５】
2007151563.tif 000027
【図２６】
2007151563.tif 000028
【図２７】
2007151563.tif 000029